(57)【要約】【課題】鼻上部へ大きな重量がかかることがなくて楽に使用できるとともに、安定支持されて外れることのない実用性に優れる拡大鏡付きメガネの提供。【解決手段】メガネ本体２の前方に拡大鏡３が付設された拡大鏡付きメガネ１において、頭部に装着使用されその一部においてメガネ本体２の上部に連結される支持部２７を有する支持体４が設けられたもの。【選択図】  図１
2005004153.tif 000002
【特許請求の範囲】
【請求項１】
メガネ本体の前方に拡大鏡が付設された拡大鏡付きメガネにおいて、頭部に装着使用されその一部において前記メガネ本体の上部に連結される支持部を有する支持体が設けられてなることを特徴とする拡大鏡付きメガネ。
【請求項２】
前記支持体による前記メガネ本体の支持が弾力的に行なわれることを特徴とする請求項１記載の拡大鏡付きメガネ。
【請求項３】
前記支持体の後側がその二箇所において、前記メガネ本体の耳かけ部それぞれの後部に連結されることを特徴とする請求項１または２記載の拡大鏡付きメガネ。
【発明の詳細な説明】
【０００１】
【発明の属する技術分野】
この発明は、外科医療現場、さらには、精密機械の制作現場等において用いられる拡大鏡付きメガネに関する。
【０００２】
【従来の技術】
例えば、外科医は脳神経や心臓等の微細部の手術には小形双眼鏡形状の拡大鏡を使用する。この拡大鏡は頭部に装着したゴムバンド等に取り付け顔前に配置して用いる。メガネを使用する者の場合は、メガネの前方に位置するように拡大鏡を配置する。手術時には血液が飛散して目に入ることがないように視力が悪くない者もガラス入りメガネを使用する場合が多い。
【０００３】
【発明が解決しようとする課題】
上記のように、拡大鏡とメガネとを併用する場合、拡大鏡の装着、拡大鏡とメガネとの位置合わせ等に手間がかかり、また、使用時の振動によりそれぞれの光軸がずれて使いにくいという問題が発生する。
【０００４】
これら問題を解消するよう最近メガネに拡大鏡を一体としたものが提案されている。しかしながらこのものの場合、使用に際して比較的重量の有る拡大鏡の重量が全てメガネにかかる。その結果、メガネを支える鼻上部に多大な重量がかかるので使用が楽でなく、長時間の使用は行なえない。また、メガネの装着状態がゆるい場合には拡大鏡とメガネとが前下方にずれ落ちてきて使用しにくいという問題がある。
【０００５】
この発明は上記の点に鑑みて行なったもので、使用が楽に行なえる実用性に優れる拡大鏡付きメガネを提供することを目的とする。
【０００６】
【課題を解決するための手段】
この発明では、メガネ本体の前方に拡大鏡が付設された拡大鏡付きメガネにおいて、頭部に装着使用されその一部においてメガネ本体の上部に連結される支持部を有する支持体が設けられてなる構成とする。
【０００７】
上記構成によれば、頭部に装着される支持体の支持部によりメガネ本体の上部を支持することで、メガネ本体にかかる重量はその支持体を介して頭部側にも分散され、これにより重量がメガネ本体がかけられる鼻上部のみに集中することが回避される。また、支持体で支持されることで拡大鏡付きメガネは常に安定し、振動等によりずれ落ちたり外れることがない。
【０００８】
支持体はベルト形状やキャップ形状等適宜の形状であってよく、材質も布や樹脂等適宜の材質であってよい。とくに、支持体を弾力性を有する構成とすれば、支持体自身に重量が吸収されて、鼻上部への重量の集中がさらに軽減される。また、支持体の支持部のメガネ本体の支持位置は一箇所の場合メガネ本体の上部中央となるが、二箇所の場合はレンズそれぞれの上部位置となり、その支持位置、さらには支持構造はメガネ本体を安定支持するよう適宜設計される。
【０００９】
さらに、支持体の後側がその二箇所において、メガネ本体の耳かけ部それぞれの後部に連結されることで、簡略な構成で頭部に安定装着されるものが得られる。通常、頭部への装着品を得る場合、その全体構成が頭部全周に渡った構成を必要とするが、上記構成ではメガネ本体を装着構造の一部として兼用できるようして構成を簡略化し、製品のコストダウンを図っている。
【００１０】
【発明の実施の形態】
図１はこの発明の拡大鏡付きメガネの斜視図、図２は正面図、図３は背面図、図４は側面図、図５は平面図、図６は底面図である。
【００１１】
拡大鏡付きメガネ１は、メガネ本体２、拡大鏡３、支持体４とからなる。メガネ本体２のレンズ５間の上前部の取り付け部７に、取り付けバー６が回転位置調整可能に取り付けられ、その取り付けバー６それぞれに拡大鏡３それぞれが水平位置調整可能に取り付けられている。
【００１２】
支持体４は全体が布とゴム材とからなる弾力性を有するベルト構成で、後側部１０とその後側部１０の中央に連結固定され前側に延び出す上側部１２とからなる。後側部１０は上側部１２との連結部の両側位置に長さ調整部１４それぞれを備え、端部それぞれがそれら調整部１４に納められることで端部側は環状部１６それぞれとなっている。それら環状部１６それぞれに第１の連結環１７それぞれが装着され、それら第１の連結環１７それぞれに第２の連結環１９それぞれが連結され、それら第２の連結環１９それぞれがメガネ本体２の耳かけ部２０の後端それぞれに外嵌される。２２のそれぞれは第２の連結環１９それぞれの外れ止めであり、このようにして支持体４の後側部１０の両端はメガネ本体２の耳かけ部２０の後部それぞれに連結されている。
【００１３】
支持体４の上側部１２はその後方部分に長さ調整部２４を備え、その前側には連結部２５を介してメガネ本体支持部２７を備えている。メガネ本体支持部２７の先端側には、図７に示すように、細巾部２８が取り付けられており、その細巾部２８の裏面にはマジックテープ３０が付設されている。その細巾部２８が上記メガネ本体２の取り付け部７に上下方向に形成された連結穴３２に上方から差し入れられ、後方に折り返されてそのマジックテープ３０面がメガネ本体支持部２７の裏面位置する細巾部裏面のマジックテープ３０部分に当接固定されている。このようにして支持体４の上側部１２の前端がメガネ本体２のレンズ５間上部に連結されている。
【００１４】
図４においてＨは頭部の輪郭を示し、支持体４の後側部１０が頭部Ｈの後部、上側部１２が頭部Ｈの後部から頂部さらには前部に沿う状態で拡大鏡付きメガネ１は装着される。使用に際しては、予め使用者の頭部の大きさに対応して長さ調整部１４、２４のそれぞれで後側部１０と上側部１２との長さを調整しておく。その際、支持体４が弾力性を有するベルト構成であるので、拡大鏡付きメガネ１は頭部にフィツトして安定装着される。
【００１５】
そして、装着した状態では拡大鏡３の重量Ｇがメガネ本体２にかかり、とくに、斜め下方を見る際には大きな重量Ｇがかかるが、上側部１２前側のメガネ本体支持部２７によりメガネ本体２の上部中央が支持されていることでその重量Ｇが分散して頭部側でも受けられるようになり、鼻上部Ｘに大きな重量が集中してかかることが回避される。とくに、支持体４が弾力性を有することでメガネ本体２は吊り下げられた状態となって重量は支持体４に吸収され、鼻上部Ｘに力がかかることがほとんどない楽な使用状態が得られる。これにより拡大鏡付きメガネ１の長時間の使用が支障なく行なえる。また、支持体４にメガネ本体２が安定支持されることで、振動等により拡大鏡付きメガネ１はずれたり落下することがなく、安心して使用できる。
【００１６】
【発明の効果】
この発明によれば、鼻上部に重量を感じることがなくて楽に使用できるとともに、ずれ落ちたりすることがなく安定使用できる拡大鏡付きメガネが提供できるようになる。
【図面の簡単な説明】
【図１】この発明の拡大鏡付きメガネの斜視図
【図２】この発明の拡大鏡付きメガネの正面図
【図３】この発明の拡大鏡付きメガネの背面図
【図４】この発明の拡大鏡付きメガネの側面図
【図５】この発明の拡大鏡付きメガネの平面図
【図６】この発明の拡大鏡付きメガネの底面図
【図７】この発明の拡大鏡付きメガネの要部断面図
【符号の説明】
１  拡大鏡付きメガネ
２  メガネ本体
３  拡大鏡
４  支持体
２７  支持部
【図１】
2005004153.tif 000003
【図２】
2005004153.tif 000004
【図３】
2005004153.tif 000005
【図４】
2005004153.tif 000006
【図５】
2005004153.tif 000007
【図６】
2005004153.tif 000008
【図７】
2005004153.tif 000009